(57)【特許請求の範囲】
【請求項１】
ガラス外側からの操作又は駆動によってガラス内側面の汚れを払拭するようにしたガラスの払拭装置であって、
ガラス又はガラスの取付け基部には取付け穴が貫通して形成され、該取付け穴には非磁性の有底円筒状ケースがガラス内側空間に連通して水密的に固定され、該有底円筒状ケースの内側開口には水の流通を阻止する水流通阻止板が固定され、該水流通阻止板と上記筒状ケースの底壁との間には回転軸がその内端側をガラス内側空間に突出して回転自在に支承され、該回転軸の内端部にはワイパーがそのブレードをガラス内面に接して取付けられている一方、
上記有底円筒状ケース内には上記回転軸の外側に第１の磁石体が固定され、上記有底円筒状ケースの外側には上記第１の磁石体と吸引される第２の磁石体が設けられており、上記第２の磁石体が操作又は駆動されることによって上記ワイパーが揺動してガラス内側面の汚れが払拭されるようになしたことを特徴とするガラス払拭装置。
【請求項２】
上記有底円筒状ケースの外側には有底円筒状の内面を有する外側ケースが上記有底円筒状ケースに対して回転自在に支承され、上記外側ケースには上記第２の磁石体が固定されており、上記外側ケースを介して上記第２の磁石体が操作又は駆動されるようになした請求項１記載のガラス払拭装置。
【請求項３】
上記流通阻止板と回転軸との間にはＯリングが介在されている請求項１又は２記載のガラス払拭装置。
【請求項４】
複数の上記第１の磁石体が上記回転軸の外側に円周方向のほぼ等角度間隔で取付けられ、複数の上記第２の磁石体が上記有底円筒状ケースの外側に円周方向のほぼ等角度間隔で設けられている請求項１ないし３のいずれかに記載のガラスの払拭装置。
【発明の詳細な説明】
【０００１】
【発明の属する技術分野】
本発明はガラスの払拭装置に関し、特に上水道施設におけるオゾン接触槽の点検窓や水族館における水槽のガラス内側の汚れを外側から払拭できるようにした装置に関する。
【０００２】
【従来の技術】
例えば、上水道施設では施設内に取水した河川の水や地下水に適切な処理を行った後、オゾンの曝気によって滅菌し消臭することが行われている。
【０００３】
オゾンの曝気設備は曝気効率を考慮してオゾン接触槽の底部に設けるのが一般的であり、泥や水垢が曝気設備に付着してオゾンが円滑に噴き出されなくなると、滅菌消臭の不十分な水が上水道として送り出されることになるので、接触槽の側壁に点検窓を設け、オゾンの曝気設備を監視する必要がある。
【０００４】
ところで、点検窓のガラス内面側には水垢が付着して曝気設備の監視がし難くなることから、作業者が接触槽内に潜水して手作業で点検窓のガラスを払拭するようにしていた。
【０００５】
【発明が解決しようとする課題】
しかし、作業者自身がオゾン接触槽内に潜水して点検窓のガラスを拭くという作業は作業者の肉体的及び心理的な負担が大きいという問題があった。
【０００６】
これに対し、本件発明者は点検窓又はその周辺に取付け穴を穿設し、取付け穴に軸受を取付け、軸受に回転軸を挿通して内側にワイパーを取付け、回転軸を回動させてワイパーを揺動させ、ガラス内面の汚れを払拭する方法を着目するに至った。
【０００７】
しかし、取付け穴と軸受との間にゴム製や合成樹脂製のシール部材を介在させると、取り込んだ水に含まれる腐食成分に起因してシール部材がすぐに腐食してしまい、水漏れが発生する。
【０００８】
また、ゴム製や合成樹脂製のシール部材に代え、金属メカニカルシールを採用する方法も考えられるが、軸受廻りの構造が非常に複雑になってしまう。
【０００９】
さらに、一対の磁石体の間を水密的に遮断し、磁力を利用して回転を伝達する機構も考えられるが、取り込んだ水に含まれる鉄成分が磁石体に吸着されて回転軸が円滑に回転しなくなる。
【００１０】
本発明はかかる問題点に鑑み、外側からガラス内側の汚れを払拭でき、しかも装置の信頼性を確保できるようにしたガラスの払拭装置を提供することを課題とする。
【００１１】
【課題を解決するための手段】
そこで，本発明に係るガラスの払拭装置は、ガラス外側からの操作又は駆動によってガラス内側面の汚れを払拭するようにしたガラスの払拭装置であって、ガラス又はガラスの取付け基部には取付け穴が貫通して形成され、該取付け穴には非磁着性の有底円筒状ケースがガラス内側空間に連通して水密的に固定され、該有底円筒状ケースの内側開口には水の流通を阻止する水流通阻止板が固定され、該水流通阻止板と上記筒状ケースの底壁との間には回転軸がその内端側をガラス内側空間に突出して回転自在に支承され、該回転軸の内端部にはワイパーがそのブレードをガラス内面に接して取付けられている一方、上記有底円筒状ケース内には上記回転軸の外側に第１の磁石体が固定され、上記有底円筒状ケースの外側には上記第１の磁石体と吸引される第２の磁石体が設けられており、上記第２の磁石体が操作又は駆動されることによって上記ワイパーが揺動してガラス内側面の汚れが払拭されるようになしたことを特徴とする。
【００１２】
本発明の特徴の１つはガラス又はガラスの取付け基部に有底円筒状ケースを水密的に固定し、ケース内には回転軸を支承し、回転軸にワイパーを取付け、ケース内外に配設した第１、第２の磁石体の磁力によって操作力又は駆動力をワイパーに伝達するようにした点にある。
【００１３】
これにより、ガラス外側からガラス内側の汚れを払拭でき、例えば上水道設備のオゾン接触槽の点検窓についても外側から窓ガラス内面の汚れを払拭でき、作業者がオゾン接触槽内に潜水する必要がなく、作業者の肉体的及び心理的な負担を解消できる。
【００１４】
また、本発明の他の特徴は円筒状ケースの内側開口に水流通阻止板を設け、水流通板に回転軸を回転自在に支承するようにした点にある。
【００１５】
これにより、取水した水に含まれる鉄成分が磁力によって円筒状ケース内に引き寄せられて第１の磁石体に吸着されることはなく、又ゴム製や合成樹脂製のシール部材によってシール性能を確保する必要がないので、取水した水に含まれる腐食成分によってシール部材の腐食が発生することがなく、装置の信頼性を保証できる。
【００１６】
また、本発明に係るガラスの払拭装置は上水道設備のオゾン接触槽の点検穴に適用するとその効果が大きいが、例えば水族館の水槽等、他のガラスの払拭に適用しても同様の効果が得られる。
【００１７】
取付け穴はガラスに直接形成してもよいが、ガラスの強度低下を招来するおそれがある。そこで、ガラスを保持する取付け基部に取付け穴を形成するのが好ましい。
【００１８】
有底円筒状ケースは第１、第２の磁石体間の磁力を阻止しなければどのような材料でもよく、例えばステンレス鋼を用いることができる。また、水流通阻止板はどのような材料でもよい。
【００１９】
第１、第２の磁石体は各々１つでもよいが、何らかの原因で相互の間に磁力が作用しなくなると、第２の磁石体を元の位置まで回転し直す必要がある。従って、円滑を払拭動作を確保する上で、第１の磁石体又は第２の磁石体、好ましくは両磁石体を複数設けるのがよい。
【００２０】
また、第２の磁石体は有底円筒状ケースの外側に設ければどのように支持してもよいが、複数の第２の磁石体を設ける場合には簡単な構造に支持するのか好ましい。
【００２１】
そこで、有底円筒状ケースの外側には有底円筒状の内面を有する外側ケースを有底円筒状ケースに対して回転自在に支承し、外側ケースには第２の磁石体を固定し、外側ケースを介して第２の磁石体を操作又は駆動するように構成するのがよい。
【００２２】
また、複数の第１の磁石体を回転軸の外側に円周方向のほぼ等角度間隔で取付け、複数の第２の磁石体を有底円筒状ケースの外側に円周方向のほぼ等角度間隔で設けるのがよい。
【００２３】
回転軸は高速回転するものではないので、水流通阻止板に形成した支持穴に挿通支持するだけてもよいが、有底円筒状ケース内外の水の流通を確実に阻止する上で、流通阻止板と回転軸との間にはＯリングを介在させるのがよい。
【００２４】
【発明の実施の形態】
以下、本発明を図面に示す具体例に基づいて詳細に説明する。図１及び図２は本発明に係るガラスの払拭装置の好ましい実施形態を示す。図において、オゾン接触槽１０と作業者用の廊下１１との間の側壁１２には点検窓３６が形成され、該点検窓３６の接触槽１０側の内縁には段部が形成されている。
【００２５】
この点検窓３６の段部にはエポキシ系接着剤１６及び無収縮モルタル１３によってステンレス鋼製の枠体（取付け基部）１４が固定され、該枠体１４は更にアンカー１５によっても側壁１２に固定され、又枠体１４にはガラス１８がシリコンコーキング剤によって水密的に取付けられている。
【００２６】
また、枠体１４には本例のガラス払拭装置２０が取付けられている。このガラス払拭装置２０において、枠体１４の下側部分には円形の取付け穴１９が穿設され、該取付け穴１９には非磁性ステンレス鋼製の有底円筒状ケース２１が廊下１１側から溶接や圧入等によって水密的に固定され、該有底円筒状ケース２１の内側開口には水流通阻止板２２がねじによって固定されている。
【００２７】
有底円筒状ケース２１の内底面には軸受部３７が形成され、水流通阻止板２２には軸受穴３８が形成され、軸受部３７と軸受穴３８とによって回転軸２３が改訂自在に支承され、又軸受穴３８内面と回転軸２３との間にはＯリング３８が介設されてシールされている。
【００２８】
この回転軸２３の内端側は接触槽１０側に突出され、その先端部にはワイパーアーム２４の基部が取付けられ、ワイパーアーム２４の先端にはワイパーブレード２５が取付けられ、又ワイパーアーム２４は途中で折曲げ可能に構成され、ばね部材２６によってワイパーブレード２５がガラス１８の内面に接触するように付勢されている。
【００２９】
また、回転軸２３は有底円筒状ケース２１内の部分が大径に形成され、その表面には複数の第１の磁石体２７が円周方向に等角度間隔をあけて配置されてストッパー３１、３２によって固定されている。
【００３０】
有底円筒状ケース２１の外側には外側ケース２８が設けられている。この外側ケース２８は有底円筒状をなし、その底面中央には取付け軸４１が固定され、又有底円筒状ケース２１の外底面には軸受部３９が形成され、該軸受部３９にはベアリング３３を介して外側ケース２８の取付け軸４１が回転自在に支持されている。外側ケース２８の先端開口の内縁はベアリング３４によって有底円筒状ケース２１に回転自在に支持されている。
【００３１】
外側ケース２８の内周面には複数の第２の磁石体２９が円周方向に等角度間隔をあけて取付けられている。また、外側ケース２８には操作ハンドル３０が取付けられている。
【００３２】
点検窓３６のガラス１８の内面に汚れが付着した場合、操作ハンドル３０を手に持って回動させる。すると、第２の磁石体２９と有底円筒状ケース２１内の第１の磁石体２７との間に磁力が作用して操作ハンドル３０の回動が回転軸２３に伝わり、回転軸２３も回動してワイパーアーム２４が回転軸２３の廻りに揺動し、ガラス１８の内面の汚れがワイパーブレード２５によって払拭される。
【００３３】
このように、作業者がオゾン接触槽１０内に潜水することなく、点検窓３６のガラス１８の外側からガラス１８内面の汚れを払拭でき、作業者の肉体的及び心理的な負担を解消できる。
【００３４】
また、有底円筒状ケース２１の内側と外側との間で水が流通することはなく、水に含まれる鉄成分が磁力によって引き寄せられて第１の磁石体２７に吸着されることはないので、回転軸２３の円滑な回転を長期にわたって保証できる。
【００３５】
さらに、ゴム製や合成樹脂製のシール部材によってシール性能を確保する必要がないので、水に含まれる腐食成分によるシール部材の腐食が発生することがなく、装置の信頼性を保証できる。
【図面の簡単な説明】
【図１】  本発明に係るガラスの払拭装置の好ましい実施形態を示す構成図である。
【図２】  上記実施形態の要部を示す断面図である。
【符号の説明】
１０      接触槽
１１      廊下
１４      枠体
１８      ガラス
２０      ガラス払拭装置
２１      有底円筒状ケース
２２      水流通阻止板
２３      回転軸
２４      ワイパーアーム
２５      ワイパーブレード
２７      第１の磁石体
２８      外側ケース
２９      第２の磁石体
３０      操作ハンドル
【図１】
0004042094.tif 000002
【図２】
0004042094.tif 000003